(57)【要約】【課題】被測定装置との呼の接続の確立及び維持を行いつつ、正確な測定結果を得ることができる測定装置及び測定方法を提供する。【解決手段】測定装置１０は、ＤＵＴ１に送信する送信フレームを生成するフレーム生成部１２と、送信フレームをＤＵＴ１に送信する送信部１３ａと、測定対象フレームを受信する受信部１３ｂと、測定対象フレームに基づいてＤＵＴ１の特性を測定する測定部１４と、送信フレームの送信に失敗した場合に送信フレームの再送処理を制御する再送制御部１７と、を備え、再送制御部１７は、送信フレームが測定用フレームの場合には該送信フレームの再送を停止する再送停止部１７ｂと、送信フレームが測定用フレームではない場合には該送信フレームの再送を指示する再送指示部１７ａと、を有する。【選択図】図１
2018148418.tif 000002
【特許請求の範囲】
【請求項１】
被測定装置（１、３）に送信する送信フレームを生成する送信フレーム生成手段（１２）と、
前記送信フレームを前記被測定装置に送信する送信フレーム送信手段（１３ａ）と、
前記送信フレームに応答して前記被測定装置から送信された測定の対象である測定対象フレームを受信する測定対象フレーム受信手段（１３ｂ）と、
前記測定対象フレームに基づいて前記被測定装置の特性を測定する測定手段（１４、２１）と、
前記送信フレームの送信に失敗した場合に前記送信フレームの再送処理を制御する再送処理制御手段（１７）と、
を備え、
前記再送処理制御手段は、
前記送信フレームが予め定められた測定用フレームであることを条件として該送信フレームの再送を停止する再送停止部（１７ｂ）と、
前記送信フレームが前記測定用フレームとは異なることを条件として該送信フレームの再送を指示する再送指示部（１７ａ）と、
を有することを特徴とする測定装置。
【請求項２】
前記測定用フレームは、
前記被測定装置の送信特性を測定するための送信特性測定用フレームと、
前記被測定装置の受信特性を測定するための受信特性測定用フレームと、
を含むことを特徴とする請求項１に記載の測定装置。
【請求項３】
前記送信特性測定用フレームは、ピングコマンドのデータを含み、
前記測定対象フレーム受信手段は、前記被測定装置が前記送信特性測定用フレームを受信したことを示すため前記被測定装置が応答する第１の応答フレーム、又は前記ピングコマンドに応じて前記被測定装置が応答する第２の応答フレームを前記測定対象フレームとして受信し、
前記測定手段は、前記第１又は前記第２の応答フレームに基づいて前記被測定装置の前記送信特性を測定するものであることを特徴とする請求項２に記載の測定装置。
【請求項４】
前記送信特性測定用フレームは、ユーザが設定した送信特性を測定するための送信特性測定用データを含み、
前記測定対象フレーム受信手段は、前記被測定装置が前記送信特性測定用フレームを受信したことを示すため前記被測定装置が応答する第３の応答フレームを前記測定対象フレームとして受信し、
前記測定手段は、前記第３の応答フレームに基づいて前記被測定装置の前記送信特性を測定するものであることを特徴とする請求項２に記載の測定装置。
【請求項５】
前記受信特性測定用フレームは、ユーザが設定した受信特性を測定するための受信特性測定用データを含み、
前記測定対象フレーム受信手段は、前記被測定装置が前記受信特性測定用フレームを受信したことを示すため前記被測定装置が応答する第４の応答フレームを前記測定対象フレームとして受信し、
前記測定手段は、前記第４の応答フレームに基づいて前記被測定装置の前記受信特性を測定するものであることを特徴とする請求項２に記載の測定装置。
【請求項６】
前記受信特性測定用フレームは、ユーザが設定した受信特性を測定するための受信特性測定用データを含み、
前記測定手段（２１）は、前記被測定装置（３）によって受信された前記受信特性測定用フレームに基づいて前記被測定装置の前記受信特性を測定するものであることを特徴とする請求項２に記載の測定装置。
【請求項７】
前記送信フレーム送信手段は、前記受信特性測定用フレームをブロードキャスト送信するものであることを特徴とする請求項６に記載の測定装置。
【請求項８】
被測定装置（１、３）に送信する送信フレームを生成する送信フレーム生成ステップ（Ｓ１２）と、
前記送信フレームを前記被測定装置に送信する送信フレーム送信ステップ（Ｓ１３）と、
前記送信フレームに応答して前記被測定装置から送信された測定の対象である測定対象フレームを受信する測定対象フレーム受信ステップ（Ｓ１８）と、
前記測定対象フレームに基づいて前記被測定装置の特性を測定する測定ステップ（Ｓ１９）と、
前記送信フレームの送信に失敗した場合に前記送信フレームの再送処理を制御する再送処理制御ステップ（Ｓ１５、Ｓ１６）と、
を含み、
前記再送処理制御ステップにおいて、
前記送信フレームが予め定められた測定用フレームであることを条件として該送信フレームの再送を停止し、
前記送信フレームが前記測定用フレームとは異なることを条件として該送信フレームを再送する、
ことを特徴とする測定方法。
【発明の詳細な説明】
【技術分野】
【０００１】
本発明は、例えば無線通信技術を用いて被測定装置を測定する測定装置及び測定方法に関する。
【背景技術】
【０００２】
従来、この種の測定装置としては、フレームエラーレートに基づいてスループットを推定する無線ＬＡＮスループット測定装置が知られている（例えば、特許文献１参照）。
【０００３】
特許文献１に記載の従来のものは、送信パケット数カウント手段と、Ａｃｋ数カウント手段と、フレームエラーレート取得手段と、スループット取得手段と、を備えている。
【０００４】
フレームエラーレート取得手段は、送信パケット数カウント手段がカウントした送信パケット数と、Ａｃｋ数カウント手段がカウントしたＡｃｋ信号数とからフレームエラーレートを計算するようになっている。
【０００５】
スループット取得手段は、送信レート及びパケットのサイズと、フレームエラーレート取得手段が取得したフレームエラーレートとからスループットを推定するようになっている。
【先行技術文献】
【特許文献】
【０００６】
【特許文献１】特開２００７−１１６３２９号公報
【発明の概要】
【発明が解決しようとする課題】
【０００７】
ところで、従来のフレームエラーレートの測定では、予めフレームの送信回数（例えば５００回）を設定して測定を開始するのが一般的である。
【０００８】
また、図１１に示すように、従来の測定装置８は、ＤＵＴ（被測定装置）９との無線通信を例えば無線ＬＡＮの規格に基づいて行うと、送信したフレームに応答してＤＵＴ９が送信するＡｃｋ信号を受信するまで、又はフレームの送信回数が所定回数に達するまで、フレームの再送を続けることとなる。
【０００９】
したがって、従来のものでは、フレームの送信回数を例えば５００回に予め設定しても、再送が発生した場合には５００回を超えるフレームの送信が実行されているので、フレームエラーレートの測定結果が正確に得られないおそれがあった。
【００１０】
この対策として、測定装置８がフレームの再送を行わない構成にした場合には、ＤＵＴ９との呼の接続の確立及び維持が行えなくなるおそれがある。
【００１１】
本発明は、前述のような事情に鑑みてなされたものであり、被測定装置との呼の接続の確立及び維持を行いつつ、正確な測定結果を得ることができる測定装置及び測定方法を提供することを目的とする。
【課題を解決するための手段】
【００１２】
本発明の請求項１に係る測定装置は、被測定装置（１、３）に送信する送信フレームを生成する送信フレーム生成手段（１２）と、前記送信フレームを前記被測定装置に送信する送信フレーム送信手段（１３ａ）と、前記送信フレームに応答して前記被測定装置から送信された測定の対象である測定対象フレームを受信する測定対象フレーム受信手段（１３ｂ）と、前記測定対象フレームに基づいて前記被測定装置の特性を測定する測定手段（１４、２１）と、前記送信フレームの送信に失敗した場合に前記送信フレームの再送処理を制御する再送処理制御手段（１７）と、を備え、前記再送処理制御手段は、前記送信フレームが予め定められた測定用フレームであることを条件として該送信フレームの再送を停止する再送停止部（１７ｂ）と、前記送信フレームが前記測定用フレームとは異なることを条件として該送信フレームの再送を指示する再送指示部（１７ａ）と、を有する構成を有している。
【００１３】
この構成により、本発明の請求項１に係る測定装置は、送信フレームが測定用フレームである場合は該送信フレームの再送を停止し、送信フレームが測定用フレームではない場合は該送信フレームの再送を指示するので、測定時に測定のために用いられる送信フレームの再送は行わず、被測定装置との呼の接続の確立及び維持において用いられる測定用以外の送信フレームの再送は行うこととなる。
【００１４】
したがって、本発明の請求項１に係る測定装置は、被測定装置との呼の接続の確立及び維持を行いつつ、正確な測定結果を得ることができる。
【００１５】
本発明の請求項２に係る測定装置は、前記測定用フレームは、前記被測定装置の送信特性を測定するための送信特性測定用フレームと、前記被測定装置の受信特性を測定するための受信特性測定用フレームと、を含む構成を有している。
【００１６】
この構成により、本発明の請求項２に係る測定装置は、送信特性測定用フレーム及び受信特性測定用フレームの再送を停止するので、被測定装置との呼の接続の確立及び維持を行いつつ、正確な測定結果を得ることができる。
【００１７】
本発明の請求項３に係る測定装置は、前記送信特性測定用フレームは、ピングコマンドのデータを含み、前記測定対象フレーム受信手段は、前記被測定装置が前記送信特性測定用フレームを受信したことを示すため前記被測定装置が応答する第１の応答フレーム、又は前記ピングコマンドに応じて前記被測定装置が応答する第２の応答フレームを前記測定対象フレームとして受信し、前記測定手段は、前記第１又は前記第２の応答フレームに基づいて前記被測定装置の前記送信特性を測定するものである構成を有している。
【００１８】
この構成により、本発明の請求項３に係る測定装置は、ピングコマンドのデータを含む送信特性測定用フレームを被測定装置に送信し、被測定装置からの第１又は第２の応答フレームに基づいて被測定装置の送信特性を測定することができる。
【００１９】
本発明の請求項４に係る測定装置は、前記送信特性測定用フレームは、ユーザが設定した送信特性を測定するための送信特性測定用データを含み、前記測定対象フレーム受信手段は、前記被測定装置が前記送信特性測定用フレームを受信したことを示すため前記被測定装置が応答する第３の応答フレームを前記測定対象フレームとして受信し、前記測定手段は、前記第３の応答フレームに基づいて前記被測定装置の前記送信特性を測定するものである構成を有している。
【００２０】
この構成により、本発明の請求項４に係る測定装置は、ユーザが設定した送信特性を測定するための送信特性測定用データを含む送信特性測定用フレームを被測定装置に送信し、被測定装置からの第３の応答フレームに基づいて被測定装置の送信特性を測定することができる。
【００２１】
本発明の請求項５に係る測定装置は、前記受信特性測定用フレームは、ユーザが設定した受信特性を測定するための受信特性測定用データを含み、前記測定対象フレーム受信手段は、前記被測定装置が前記受信特性測定用フレームを受信したことを示すため前記被測定装置が応答する第４の応答フレームを前記測定対象フレームとして受信し、前記測定手段は、前記第４の応答フレームに基づいて前記被測定装置の前記受信特性を測定するものである構成を有している。
【００２２】
この構成により、本発明の請求項５に係る測定装置は、ユーザが設定した受信特性を測定するための受信特性測定用データを含む受信特性測定用フレームを被測定装置に送信し、被測定装置からの第４の応答フレームに基づいて被測定装置の受信特性を測定することができる。
【００２３】
本発明の請求項６に係る測定装置は、前記受信特性測定用フレームは、ユーザが設定した受信特性を測定するための受信特性測定用データを含み、前記測定手段（２１）は、前記被測定装置（３）によって受信された前記受信特性測定用フレームに基づいて前記被測定装置の前記受信特性を測定するものである構成を有している。
【００２４】
この構成により、本発明の請求項６に係る測定装置は、測定手段は、被測定装置によって受信された受信特性測定用フレームに基づいて被測定装置の受信特性を測定することができる。
【００２５】
本発明の請求項７に係る測定装置は、前記送信フレーム送信手段は、前記受信特性測定用フレームをブロードキャスト送信するものである構成を有している。
【００２６】
この構成により、本発明の請求項７に係る測定装置は、受信特性測定用フレームがブロードキャスト送信された場合でも、被測定装置の受信特性を測定することができる。
【００２７】
本発明の請求項８に係る測定方法は、被測定装置（１、３）に送信する送信フレームを生成する送信フレーム生成ステップ（Ｓ１２）と、前記送信フレームを前記被測定装置に送信する送信フレーム送信ステップ（Ｓ１３）と、前記送信フレームに応答して前記被測定装置から送信された測定の対象である測定対象フレームを受信する測定対象フレーム受信ステップ（Ｓ１８）と、前記測定対象フレームに基づいて前記被測定装置の特性を測定する測定ステップ（Ｓ１９）と、前記送信フレームの送信に失敗した場合に前記送信フレームの再送処理を制御する再送処理制御ステップ（Ｓ１５、Ｓ１６）と、を含み、前記再送処理制御ステップにおいて、前記送信フレームが予め定められた測定用フレームであることを条件として該送信フレームの再送を停止し、前記送信フレームが前記測定用フレームとは異なることを条件として該送信フレームを再送する構成を有している。
【００２８】
この構成により、本発明の請求項８に係る測定方法は、送信フレームが測定用フレームである場合は該送信フレームの再送を停止し、送信フレームが測定用フレームではない場合は該送信フレームの再送を指示するので、測定時に測定のために用いられる送信フレームの再送は行わず、被測定装置との呼の接続の確立及び維持において用いられる測定用以外の送信フレームの再送は行うこととなる。
【００２９】
したがって、本発明の請求項８に係る測定方法は、被測定装置との呼の接続の確立及び維持を行いつつ、正確な測定結果を得ることができる。
【発明の効果】
【００３０】
本発明は、被測定装置との呼の接続の確立及び維持を行いつつ、正確な測定結果を得ることができるという効果を有する測定装置及び測定方法を提供することができるものである。
【図面の簡単な説明】
【００３１】
【図１】本発明に係る測定装置の一実施形態におけるブロック構成図である。
【図２】本発明に係る測定装置の一実施形態において、フレーム種別格納部が格納する再送可否の送信フレーム種別を示す図である。
【図３】本発明に係る測定装置の一実施形態における基本的な動作の一例を示すフローチャートである。
【図４】本発明に係る測定装置の一実施形態において、ＤＵＴの送信特性についての第１の測定手順を示す図である。
【図５】本発明に係る測定装置の一実施形態において、ＤＵＴの送信特性についての第１の測定手順で用いられるフレーム構成例を示す図である。
【図６】本発明に係る測定装置の一実施形態において、ＤＵＴの送信特性についての第２の測定手順を示す図である。
【図７】本発明に係る測定装置の一実施形態において、ＤＵＴの送信特性についての第２の測定手順で用いられるフレーム構成例を示す図である。
【図８】本発明に係る測定装置の一実施形態において、ＤＵＴの受信特性についての第１の測定手順を示す図である。
【図９】本発明に係る測定装置の一実施形態において、ＤＵＴの受信特性についての第２の測定手順におけるブロック構成図である。
【図１０】本発明に係る測定装置の一実施形態において、ＤＵＴの受信特性についての第２の測定手順を示す図である。
【図１１】従来の測定装置の再送制御の説明図である。
【発明を実施するための形態】
【００３２】
以下、本発明の実施形態について図面を用いて説明する。
【００３３】
まず、本発明に係る測定装置１０の一実施形態における構成について説明する。
【００３４】
図１に示すように、本実施形態における測定装置１０は、ＤＵＴ１と無線通信を行ってＤＵＴ１を測定するものである。本実施形態では、測定装置１０は無線ＬＡＮ親機（AP：Access Point）として動作し、ＤＵＴ１は無線ＬＡＮ子機（STA:STAtion）として動作するものとする。なお、ＤＵＴ１は、被測定装置の一例である。
【００３５】
測定装置１０は、送信データ生成部１１、フレーム生成部１２、送受信部１３、測定部１４、表示部１５、再送制御部１７、フレーム種別格納部１６を備えている。この測定装置１０は、ＣＰＵ、ＲＯＭ、ＲＡＭ、各種インタフェースが接続される入出力回路等を備えたマイクロコンピュータを含む。測定装置１０は、ＲＯＭに予め格納された制御プログラムを実行させることにより、マイクロコンピュータを測定装置１０の各機能部として機能させるようになっている。
【００３６】
送信データ生成部１１は、ユーザが設定した送信データを生成し、フレーム生成部１２に出力するようになっている。
【００３７】
フレーム生成部１２は、送信データ生成部１１からのデータを含めたフレームを生成（構成）し、送受信部１３に出力するようになっている。このフレーム生成部１２は、送信フレーム生成手段の一例である。
【００３８】
送受信部１３は、送信部１３ａ及び受信部１３ｂを備え、所定の無線通信規格に基づいて、ＤＵＴ１との間で無線通信接続を確立するようになっている。本実施形態では、送受信部１３は、一例として、ＩＥＥＥ８０２．１１に準拠する通信規格に基づいて、ＤＵＴ１との間で無線通信接続を確立するものとする。また、送受信部１３は、無線通信接続の確立後に、ＤＵＴ１に対して、測定に関する各種データを送受信するようになっている。
【００３９】
送信部１３ａは、図示を省略したが、変調回路、ＤＡＣ（デジタルアナログコンバータ）、アップコンバータ、送信アンテナ等を備え、フレーム生成部１２が生成したフレームに対してディジタル変調やアップコンバート等の処理を行い、アンテナを介してＤＵＴ１に送信するようになっている。
【００４０】
また、送信部１３ａは、ＤＵＴ１に送信した送信フレームに対し、ＤＵＴ１から受信した旨の信号を受信部１３ｂが受信しなかった場合には、再送制御部１７から再送の指示があったときのみ該当する送信フレームを再送するようになっている。なお、送信部１３ａは、送信フレーム送信手段の一例である。
【００４１】
受信部１３ｂは、図示を省略したが、受信アンテナ、ダウンコンバータ、ＡＤＣ（アナログデジタルコンバータ）、復調回路等を備え、ＤＵＴ１から受信したフレームのうち、測定対象である測定対象フレームから測定対象のデータを抽出して測定部１４に出力するようになっている。
【００４２】
また、受信部１３ｂは、送信部１３ａがＤＵＴ１に送信した送信フレームに対し、ＤＵＴ１から受信した旨の信号を受信しなかった場合には、その旨を再送制御部１７に通知するようになっている。なお、受信部１３ｂは、測定対象フレーム受信手段の一例である。
【００４３】
測定部１４は、受信部１３ｂによって受信された測定対象のデータを入力し、ユーザが設定した測定条件に基づいてＤＵＴ１の送信特性及び受信測定を行い、測定結果のデータを表示部１５に出力するようになっている。具体的には、測定部１４は、ＤＵＴ１の送信特性として、例えば、送信パワー、ＥＶＭ（Error Vector Magnitude）、コンスタレーション等を測定可能である。また、測定部１４は、ＤＵＴ１の受信測定として、例えば、受信感度、フレームエラーレート等を測定可能である。なお、測定部１４は、測定手段の一例である。
【００４４】
表示部１５は、測定部１４によって得られた測定結果を表示するようになっている。
【００４５】
フレーム種別格納部１６は、送信部１３ａが送信する送信フレームの種別に対応して予め定められた再送可否の情報を格納している。図２を用いて説明する。
【００４６】
図２に示すように、送信部１３ａが送信する送信フレームとしては、送信測定用データフレーム、受信測定用データフレーム、マネジメントフレーム、測定用以外のデータフレームがある。なお、送信測定用データフレーム及び受信測定用データフレームは、それぞれ、送信特性測定用フレーム及び受信特性測定用フレームに対応する。
【００４７】
送信測定用データフレームは、ＤＵＴ１の送信特性を測定するためのフレームである。受信測定用データフレームは、ＤＵＴ１の受信特性を測定するためのフレームである。送信測定用データフレーム及び受信測定用データフレームは、予め定められた測定用フレームに対応する。
【００４８】
マネジメントフレームは、例えば、測定装置１０とＤＵＴ１との間で呼を確立するための管理データフレームであり、認証（Authentication）フレームや接続確立（Association）フレーム等である。
【００４９】
測定用以外のデータフレームは、ＩＥＥＥ８０２．１１に準拠する通信規格ではデータフレームに分類されるが、用途としては通信制御、呼接続等のために使われるフレームである。測定用以外のデータフレームには、ＡＲＰ（Address Resolution Protocol）やＤＨＣＰ（Dynamic Host Configuration Protocol）等の制御データフレームが含まれる。
【００５０】
以上のフレームについて、フレーム種別格納部１６には、送信測定用データフレーム及び受信測定用データフレームは、再送不可と定められ、マネジメントフレーム及び測定用以外のデータフレームは、再送が可能であると定められている。
【００５１】
図１に戻り、再送制御部１７は、再送を指示する再送指示部１７ａと、再送を停止する再送停止部１７ｂと、を備え、フレーム種別格納部１６に格納された情報に基づいて、送信部１３ａがＤＵＴ１に送信するフレームの再送に関する制御を行うようになっている。なお、再送制御部１７は、再送処理制御手段の一例である。
【００５２】
再送指示部１７ａは、送信部１３ａがＤＵＴ１に送信した送信フレームのうち、ＤＵＴ１から受信した旨の信号を受信部１３ｂが受信しなかった場合に、当該送信フレームがフレーム種別格納部１６に再送可能と定められていることを条件として、当該送信フレームの再送を送信部１３ａに指示するようになっている。
【００５３】
再送停止部１７ｂは、送信部１３ａがＤＵＴ１に送信した送信フレームのうち、ＤＵＴ１から受信した旨の信号を受信部１３ｂが受信しなかった場合（送信フレームの送信に失敗した場合）に、当該送信フレームがフレーム種別格納部１６に再送不可と定められていることを条件として、当該送信フレームの再送を停止する（再送を行わない）よう送信部１３ａに指示するようになっている。
【００５４】
次に、本実施形態における測定装置１０の基本的な動作の一例について図３を用いて説明する。
【００５５】
送信データ生成部１１は、ユーザが設定した送信データを生成し（ステップＳ１１）、フレーム生成部１２に出力する。
【００５６】
フレーム生成部１２は、送信データ生成部１１が生成した送信データを含むフレームを生成し（ステップＳ１２）、送信部１３ａに出力する。
【００５７】
送信部１３ａは、フレーム生成部１２が生成したフレームのデータを所定の変調方式により変調し、アップコンバート等の処理を行って、フレームをＤＵＴ１に送信する（ステップＳ１３）。
【００５８】
受信部１３ｂは、送信部１３ａが送信した送信フレームに応答したＡｃｋフレームをＤＵＴ１から受信したか否かを判断する（ステップＳ１４）。
【００５９】
ステップＳ１４において、ＡｃｋフレームをＤＵＴ１から受信したと判断しなかった場合には、再送制御部１７は、フレーム種別格納部１６に格納された送信フレーム種別の再送可否情報に基づいて、ステップＳ１３で送信した送信フレームが再送可フレームか否かを判断する（ステップＳ１５）。
【００６０】
ステップＳ１５において、再送可フレームと判断した場合には、再送指示部１７ａは、ステップＳ１３で送信した送信フレームの再送を送信部１３ａに指示する。そして、送信部１３ａは、当該フレームを再送し（ステップＳ１６）、ステップＳ１４の処理に戻る。
【００６１】
ステップＳ１４において、ＡｃｋフレームをＤＵＴ１から受信したと判断した場合、又は、ステップＳ１５において、再送可フレームと判断しなかった場合には、送受信部１３は、新たなフレームを送信するか否かを判断する（ステップＳ１７）。
【００６２】
ステップＳ１７において、新たなフレームを送信すると判断した場合には、ステップＳ１１の処理に戻る。
【００６３】
一方、ステップＳ１７において、新たなフレームを送信すると判断しなかった場合には、送受信部１３は、測定対象フレームを受信したか否かを判断する（ステップＳ１８）。
【００６４】
ステップＳ１８において、測定対象フレームを受信したと判断しなかった場合には処理を終了し、測定対象フレームを受信したと判断した場合には、測定部１４は、受信部１３ｂから測定対象のデータを入力し、ユーザが指定した測定を行う（ステップＳ１９）。
【００６５】
表示部１５は、測定部１４が測定した測定結果を画面に表示する（ステップＳ２０）。
【００６６】
次に、本実施形態における測定装置１０の具体的な動作を図４〜図１０に基づき説明する。測定装置１０によるＤＵＴ１の送信特性についての第１の測定手順を図４及び図５に、第２の測定手順を図６及び図７に、ＤＵＴ１の受信特性についての第１の測定手順を図８に、第２の測定手順を図９及び図１０に基づき説明する。
【００６７】
まず、ＤＵＴ１の送信特性についての測定手順について説明する。図４に示すように、ＤＵＴ１の送信特性についての第１の測定手順では、測定装置１０とＤＵＴ１との間において、ＩＥＥＥ８０２．１１に準拠する通信規格に基づいて、認証及び呼の接続の確立処理等を含む無線通信接続処理（ステップＳ３１）が行われた後に、ＤＵＴ１の送信特性の測定が開始される。
【００６８】
このステップＳ３１において、測定装置１０からＤＵＴ１に送信される送信フレームは、認証フレームや接続確立フレーム等に関するフレームであり、フレーム種別格納部１６においては再送が可能であると定められている。したがって、送信部１３ａは、再送指示部１７ａの指示により、ステップＳ１３での送信フレームを再送する場合がある。その結果、測定装置１０は、ＤＵＴ１との呼の接続の確立及び維持が確保できる。
【００６９】
無線通信接続処理の後に測定が開始され、測定装置１０は、ＤＵＴ１の送信特性を測定するための送信測定用データフレームとして、Ｐｉｎｇ（ピング）リクエストフレームをＤＵＴ１に送信する（ステップＳ３２）。このＰｉｎｇリクエストフレームは、ＤＵＴ１の送信特性を測定するための送信測定用データフレームであるので、フレーム種別格納部１６においては再送が不可と定められている。したがって、送信部１３ａは、再送停止部１７ｂの指示によりＰｉｎｇリクエストフレームを再送しない。Ｐｉｎｇリクエストフレームの構成例を図５に示す。
【００７０】
図５に示すように、Ｐｉｎｇリクエストフレームは、８０２．１１ヘッダと、８０２．１１データとで構成されている。８０２．１１データは、ＩＰ（Internet Protocol）ヘッダと、ＩＣＭＰ（Internet Control Message Protocol）ヘッダと、Ｐｉｎｇデータと、ＦＣＳ（Frame Check Sequence）と、を含む。なお、Ｐｉｎｇリクエストフレームは、ネットワークの診断プログラムとして一般的に用いられるものであってもよい。
【００７１】
Ｐｉｎｇデータは、ピングコマンドのデータと、送信特性測定用データと、を含む。送信特性測定用データは、例えば、"００００・・・"、"０１０１・・・"、"１０１０・・・"等のデータパターンを含むものであって、所定の送信特性を測定するためにユーザによって設定されたデータである。測定装置１０は、これらのデータパターンを用いることにより、ＤＵＴ１の送信特性評価において、エラーの発生しやすいデータパターンを把握することができる。
【００７２】
図４に戻り、ＤＵＴ１は、Ｐｉｎｇリクエストフレームを受信したことを示すＡｃｋフレームを測定装置１０に送信する（ステップＳ３３）。このＡｃｋフレームは、Ｐｉｎｇリクエストフレームに含まれていた送信特性測定用データを有し、ＤＵＴ１の送信特性を測定するための測定対象フレームとすることができる。なお、Ａｃｋフレームは、第１の応答フレームに対応する。
【００７３】
さらに、ＤＵＴ１は、Ｐｉｎｇリクエストフレームに応答するＰｉｎｇリプライフレームを測定装置１０に送信する（ステップＳ３４）。このＰｉｎｇリプライフレームは、Ｐｉｎｇリクエストフレームに含まれていた送信特性測定用データを有し、ＤＵＴ１の送信特性を測定するための測定対象フレームとすることができる。なお、Ｐｉｎｇリプライフレームは、第２の応答フレームに対応する。
【００７４】
次いで、測定装置１０は、Ｐｉｎｇリプライフレームに対応するＡｃｋフレームをＤＵＴ１に送信する（ステップＳ３５）。
【００７５】
そして、測定装置１０は、測定対象フレームに含まれるデータを測定する（ステップＳ３６）。例えば、測定装置１０は、測定対象フレームに含まれるデータに基づいて、ＤＵＴ１の送信パワー、ＥＶＭ、コンスタレーション等を測定可能である。
【００７６】
この第１の測定手順では、測定対象フレームとしては、測定装置１０は、ステップＳ３３において受信したＡｃｋフレーム、又は、ステップＳ３４において受信したＰｉｎｇリプライフレームのいずれかをユーザに選択させることができる。なお、Ａｃｋフレームは、フレームサイズも比較的小さく、伝送レートも比較的低いので、より大きなフレームサイズで、より高い伝送レートで通信可能なＰｉｎｇリプライフレームを測定対象フレームとするのが好ましい。例えば、Ｐｉｎｇリプライフレームの伝送レートは、無線通信接続処理（ステップＳ３１）において測定装置１０がＤＵＴ１から取得するＤＵＴ１の能力情報（Capability Information）に従って設定することが可能である。
【００７７】
次に、図６に示すように、ＤＵＴ１の送信特性についての第２の測定手順では、無線通信接続処理（ステップＳ３１）の後に測定が開始され、測定装置１０は、送信特性測定用フレームをＤＵＴ１に送信する（ステップＳ４１）。この送信特性測定用フレームは、ＤＵＴ１の送信特性を測定するための送信測定用データフレームであり、フレーム種別格納部１６においては再送が不可と定められている。したがって、送信部１３ａは、再送停止部１７ｂの指示により送信特性測定用フレームを再送しない。送信特性測定用フレームの構成例を図７に示す。
【００７８】
図７に示すように、送信特性測定用フレームは、８０２．１１ヘッダと、８０２．１１データとで構成されている。８０２．１１データは、送信特性測定用データ及びＦＣＳを含む。
【００７９】
図６に戻り、ＤＵＴ１は、送信特性測定用フレームを受信した場合には、その旨を示すＡｃｋフレームを測定装置１０に送信する（ステップＳ４２）。このＡｃｋフレームは、ＤＵＴ１の送信特性を測定するための測定対象フレームとすることができる。なお、Ａｃｋフレームは、第３の応答フレームに対応する。
【００８０】
次いで、測定装置１０は、Ａｃｋフレームに基づいて、所定の送信特性の測定を行う（ステップＳ４３）。
【００８１】
次に、ＤＵＴ１の受信特性についての測定手順について説明する。図８に示すように、ＤＵＴ１の受信特性についての第１の測定手順では、無線通信接続処理（ステップＳ３１）の後に測定が開始され、測定装置１０は、受信特性測定用フレームをＤＵＴ１にユニキャスト送信する（ステップＳ５１）。この受信特性測定用フレームは、ＤＵＴ１の受信特性を測定するための受信測定用データフレームであり、フレーム種別格納部１６においては再送が不可と定められている。したがって、送信部１３ａは、再送停止部１７ｂの指示により受信特性測定用フレームを再送しない。受信特性測定用フレームの構成例としては、図７に示した８０２．１１データを含み、８０２．１１ヘッダにはＤＵＴ１のユニキャスト宛先アドレスが記録されている。
【００８２】
ＤＵＴ１は、受信特性測定用フレームを受信した場合には、その旨を示すＡｃｋフレームを測定装置１０に送信する（ステップＳ５２）。このＡｃｋフレームは、ＤＵＴ１の受信特性を測定するための測定対象フレームとすることができる。なお、Ａｃｋフレームは、第４の応答フレームに対応する。
【００８３】
測定装置１０は、例えば、受信特性測定用フレームの送信を、ユーザが設定した回数繰り返し、それらに応じて受信したＡｃｋフレーム数を計数することにより、フレームエラーレートを測定する（ステップＳ５３）。測定装置１０は、受信特性測定用フレームの再送を行わないので、正確なフレームエラーレートを取得することができる。
【００８４】
次に、ＤＵＴ１の受信特性についての第２の測定手順について、図９及び図１０を用いて説明する。図９は、ＤＵＴ１の受信特性を第２の測定手順により測定する測定システムのブロック構成図である。図１０は、測定システムの動作説明図である。
【００８５】
図９に示すように、測定システム２は、測定装置２０及びＤＵＴ３を備えている。測定装置２０は、測定部２１を備えている。ＤＵＴ３は、フレーム計数部４を備えている。このＤＵＴ３は、被測定装置の一例である。なお、図１に示した構成と同様な構成には同一の符号を付してその説明を省略する。
【００８６】
ＤＵＴ３のフレーム計数部４は、例えばＭＡＣ層（Medium Access Control Layer：媒体アクセス制御層）において、測定装置２０が送信した受信特性測定用フレームの受信フレーム数を計数するようになっている。
【００８７】
測定装置２０の測定部２１は、送受信部１３がＤＵＴ３に送信した受信特性測定用フレームのフレーム数のデータと、ＤＵＴ３のフレーム計数部４によって計数された受信フレーム数のデータと、を入力するようになっている、そして、測定部２１は、送信した受信特性測定用フレームのフレーム数のデータと、フレーム計数部４によって計数された受信フレーム数とからフレームエラーレートを取得するようになっている。なお、測定部２１は、測定手段の一例である。
【００８８】
図１０に示すように、ＤＵＴ１の受信特性についての第２の測定手順では、無線通信接続処理（ステップＳ３１）の後に測定が開始され、測定装置２０は、受信特性測定用フレームをＤＵＴ３にブロードキャスト送信する（ステップＳ６１）。受信特性測定用フレームの構成例としては、図７に示した８０２．１１データを含み、８０２．１１ヘッダにはブロードキャストの宛先情報が記録されている。なお、ブロードキャスト送信では、送信フレームに対してＡｃｋフレームが返信されないため、送信フレームの再送可否の判断は行わず、常に再送しない動作となる。
【００８９】
測定装置２０は、ステップＳ６１の受信特性測定用フレームの送信を、ユーザが設定した回数繰り返し、ＤＵＴ３のフレーム計数部４によって計数された受信フレーム数のデータを入力する（ステップＳ６２）。
【００９０】
そして、測定装置２０は、送信した受信特性測定用フレームのフレーム数と、フレーム計数部４によって計数された受信フレーム数とからフレームエラーレートを取得する。
【００９１】
以上のように、本実施形態における測定装置１０は、送信フレームが測定用フレームであることを条件として該送信フレームの再送を停止する再送停止部１７ｂと、送信フレームが測定用フレームとは異なることを条件として該送信フレームの再送を指示する再送指示部１７ａと、を有するので、ＤＵＴ１との呼の接続の確立及び維持を行いつつ、正確な測定結果を得ることができる。
【００９２】
また、本実施形態における測定装置２０は、受信特性測定用フレームをブロードキャスト送信し、ＤＵＴ１によって受信された受信特性測定用フレームに基づいてＤＵＴ１の受信特性を測定するので、受信特性測定用フレームがブロードキャスト送信された場合でも、ＤＵＴ１の受信特性を測定することができる。
【産業上の利用可能性】
【００９３】
以上のように、本発明に係る測定装置及び測定方法は、被測定装置との呼の接続の確立及び維持を行いつつ、正確な測定結果を得ることができるという効果を有し、例えば無線通信技術を用いて被測定装置を測定する測定装置及び測定方法として有用である。
【符号の説明】
【００９４】
１、３  ＤＵＴ（被測定装置）
４  フレーム計数部
１０、２０  測定装置
１１  送信データ生成部
１２  フレーム生成部（送信フレーム生成手段）
１３  送受信部
１３ａ  送信部（送信フレーム送信手段）
１３ｂ  受信部（測定対象フレーム受信手段）
１４、２１  測定部（測定手段）
１５  表示部
１６  フレーム種別格納部
１７  再送制御部（再送処理制御手段）
１７ａ  再送指示部
１７ｂ  再送停止部
【図１】
2018148418.tif 000003
【図２】
2018148418.tif 000004
【図３】
2018148418.tif 000005
【図４】
2018148418.tif 000006
【図５】
2018148418.tif 000007
【図６】
2018148418.tif 000008
【図７】
2018148418.tif 000009
【図８】
2018148418.tif 000010
【図９】
2018148418.tif 000011
【図１０】
2018148418.tif 000012
【図１１】
2018148418.tif 000013